(57)【要約】【課題】釣り糸の結び目から出ている端部をライターで溶かして、釣り糸の端部に膨らみを形成する事により、結び目が解ける事を防ぐ事は効果的な方法であるが、溶かすべき釣り糸端部だけに熱を与える事は難しく、しばしば溶けるべきでない釣り糸部分にも熱が伝わってしまうといった問題があった。【解決手段】ターボライターの炎部分を一重、もしくは二重の筒により囲み、炎から発する熱を、筒（火口４）により形成される壁により遮断し、筒（火口４）の腹部に内部の炎と通じる穴５を設け、その穴５に釣り糸Ａの端部を入れ込む事により、局所だけを狙って熱を与える事が出来る構成としている。【選択図】図２
2007075016.tif 000002
【特許請求の範囲】
【請求項１】
釣り糸の局所を溶かすための局所加熱装置であって、ターボライターの炎部分を一重、もしくは二重の筒により囲み、筒の腹部に内部の炎と通じる穴を有する事を特徴とする局所加熱装置。
【発明の詳細な説明】
【技術分野】
【０００１】
本発明は、釣り糸の結び目を補強するための局所加熱装置に関する。
【背景技術】
【０００２】
釣り糸の結び目において、結び目が解けないように結ぶ事は当然であるが、意に反して解ける事もある。このような事が無いように、釣り糸の結び目から出ている釣り糸の端部をライターにて溶かして釣り糸の端部に膨らみを持たせる事により、結び目が解けないようにする事が一般に行われていた。
【発明の開示】
【発明が解決しようとする課題】
【０００３】
上述したように、釣り糸の結び目から出ている端部をライターにて溶かして、釣り糸の端部に膨らみを持たせる事により、結び目が解ける事を防ぐ事は効果的な方法であった。しかしながら、ライターの炎から発する熱は、溶かすべき釣り糸端部だけに与える事は難しく、しばしば溶けるべきでない釣り糸部分にも熱が伝わってしまうといった問題があった。本発明は、上記の課題を解決するため、ライターの炎から発する熱を釣り糸の局所に与えるための局所加熱装置を提供することを目的とする。
【課題を解決するための手段】
【０００４】
本発明は、上記の課題を解決するため、ターボライターの炎部分を一重、もしくは二重の筒により囲み、炎から発する熱を、筒により形成される壁により遮断し、筒の腹部に内部の炎と通じる穴を設け、その穴に釣り糸の端部を入れ込む事により、局所的に熱を与える構成としている。このことにより、局所を狙って溶かす事が出来るものとした。
【０００５】
上述の筒は、ターボライターの火口そのものを延長する構成や、ターボライターの火口に筒を取り付ける構成とする事が出来る。
【０００６】
上述のターボライターの火口に筒を取り付ける構成とする場合は、ターボライターの火口を挟持して固定する方法のほかに、上述の筒に磁石を装着し、磁力でターボライター上部の鉄部に固定する事も出来る。
【発明の効果】
【０００７】
本発明によれば、釣り糸の結び目が解けないように釣り糸端部をターボライターで溶かす場合に、釣り糸の溶けるべきでない部分に熱を与える事なく、釣り糸の結び目から出ている釣り糸の局所だけを加熱し、釣り糸の端部に膨らみを持たせる事が容易に可能となる。
【発明を実施するための最良の形態】
【０００８】
以下、本発明の実施の形態について説明する。図１は本発明の第１の構成を示すものである。図２は、本発明の使用状況説明図であり、（ａ）は、作業状況を示す説明図であり、（ｂ）は釣り糸端部の溶融前状況を示す説明図であり、（ｃ）は釣り糸端部の溶融後状況を示す説明図である。図３は、本発明の第２の構成を示すものである。図４は、本発明の第３の構成を示すものである。
【０００９】
（第１の構成）
図１において、本発明の局所加熱装置は、一般に使用されている煙草用ターボライターの構成のうち、火口部分を炎を囲うように長くした筒形状の火口４を設け、炎から発する熱を火口４により形成される壁により遮断し、火口４の腹部に内部の炎と通じる穴５を設け、その穴５に釣り糸の端部を入れ込む事により、局所だけに熱を与える構成としている。このことにより、釣り糸の局所を狙って溶かす事が出来る。
【００１０】
図２は、本発明の第１の構成を例とした使用状況説明図であり、（ａ）は、釣り糸端部を溶かす作業状況の説明図であり、穴５に釣り糸Ａの結び目端部を挿入し、釣り糸端部の局所だけを溶かしている状況を示すものである。溶かすべきでない釣り糸部分は、火口４に多少接触しても容易には溶けないため、安心して作業を進める事が出来る。（ｂ）は釣り糸端部の溶融前状況を示す説明図であり、釣り糸端部（溶融前）Ｂは切断されただけの状況である。（ｃ）は、本発明の局所加熱装置により釣り糸端部を溶かした後の状況を示す説明図であり、釣り糸端部（溶融後）Ｃは、膨らんだ形状となるため容易に結び目が解けない構造となっている。
【００１１】
（第２の構成）
図３において、本発明の局所加熱装置は、一般に使用されている煙草用ターボライターの火口４に筒６を装着するものであり、炎から発する熱を、筒６により形成される壁により遮断し、筒６の腹部に内部の炎と通じる穴５を設け、その穴５に釣り糸の端部を入れ込む事により、局所的に熱を与える構成としている。このことにより、釣り糸の局所を狙って溶かす事が出来るものとしている。筒６には火口４を挟持するための弾力性を得るためにスリット７が設けられており、火口４を筒６に差し込む事により固定している。
【００１２】
（第３の構成）
図４において、本発明の局所加熱装置は、一般に使用されている煙草用ターボライターの火口４に筒６を装着するものであり、炎から発する熱を、筒６により形成される壁により遮断し、筒６の腹部に内部の炎と通じる穴５を設け、その穴５に釣り糸の端部を入れ込む事により、局所的に熱を与える構成としている。このことにより、釣り糸の局所を狙って溶かす事が出来るものとしている。筒６の下部には磁石８を設けており、磁力でターボライター上部の金属製カバー３に固定している。
【００１３】
第１の構成、第２の構成、および第３の構成に共通して、図１の延長された火口４や、図３および図４の筒６は、一重の筒形状でも良いが、筒の外側の温度をさらに低くするために、二重の筒とし熱伝導を弱めた構成とする事も出来る。なお、材質においては、熱伝導率が低く、耐熱性が高いものが適しているが、アルミを使用しても特に問題はなく十分な効果を得ることが出来る。
【産業上の利用可能性】
【００１４】
本発明は、釣り糸の結び目が解けないように釣り糸端部をライターで溶かす場合に、釣り糸の溶けるべきでない部分に熱を与える事なく、釣り糸の結び目から出ている釣り糸の局所だけを加熱し、釣り糸の端部に膨らみを持たせる局所加熱装置として有用に利用する事ができる。
【図面の簡単な説明】
【００１５】
【図１】本発明の第１の構成を示すものである。
【図２】本発明の使用状況説明図である。
【図３】本発明の第２の構成を示すものである。
【図４】本発明の第３の構成を示すものである。
【符号の説明】
【００１６】
Ａ      釣り糸
Ｂ      釣り糸端部（溶融前）
Ｃ      釣り糸端部（溶融後）
１      ターボライター本体ケース
２      操作ボタン
３      金属製カバー
４      火口
５      穴
６      筒
７      スリット
８      磁石
【図１】
2007075016.tif 000003
【図２】
2007075016.tif 000004
【図３】
2007075016.tif 000005
【図４】
2007075016.tif 000006